(57)【要約】【課題】使い捨てタイプであり且つ、塵等を付着する能力及び保持する能力が高い清掃具を提供する。【解決手段】手又は柄付き保持具に装着されて用いられる清掃具１０であって、シャーリング１３を有する布帛１１で構成された払拭部と、該払拭部を手又は保持具に当てがった状態に保持するための布帛１１’で構成された装着部とを装備する。【選択図】　図１
2004113284.tif 000002
【特許請求の範囲】
【請求項１】
手又は柄付き保持具に装着されて用いられる清掃具であって、
シャーリングを有する布帛で構成された払拭部と、
該払拭部を手又は保持具に当てがった状態に保持するための装着部とを備えたことを特徴とする清掃具。
【請求項２】
前記払拭部及び前記装着部が、手又は保持具を挿入し得る袋状又は筒状をなすように相互に重ねられた布帛の一方及び他方により各々形成され、前記シャーリングは重ねられた布帛の接合手段によって固定されていることを特徴とする請求項１記載の清掃具。
【請求項３】
前記払拭部及び装着部が相互に重ねられて、手袋状とされていることを特徴とする請求項１又は２記載の清掃具。
【請求項４】
手又は柄付き保持具に装着されて用いられる清掃具の製造方法であって、
第１の布帛と第２の布帛とを重ね合わせ、縫合糸により、前記第１の布帛の周縁部と前記第２の布帛の周縁部とを縫合する縫合工程と、
前記第１の布帛及び前記第２の布帛を前記縫合糸により引き縮めて、前記第１の布帛の周縁部及び前記第２の布帛の周縁部にシャーリングを形成するシャーリング形成工程と、
前記第１の布帛の周縁部と前記第２の布帛の周縁部とをプレス融着し、前記第１の布帛と前記第２の布帛とを袋状又は筒状に形成すると共に前記シャーリングを固定するプレス工程とを含む清掃具の製造方法。
【発明の詳細な説明】
【０００１】
【発明の属する技術分野】
本発明は、布帛を清掃面に有する使い捨てタイプの清掃具及びその製造方法に関する。
【０００２】
【従来の技術】
近年、乾式の手軽な拭き掃除のために、不織布等の布製で使い捨てタイプの清掃具が用いられている。この種の清掃具としては、手又は保持具に当てがった状態に保持されて使用される袋状や筒状のものや、専ら柄付き保持具に装着されて用いられる矩形のシート状のものが提案されている。
【０００３】
例えば、特開平１０−１３７１６８号公報（特許文献１）には、２枚の拭布を積層し周縁部を結合した手袋状のハンドモップが記載されている。このハンドモップは、被清掃面の形状に沿って自在に変形させることができ、複雑な形状の細部まで清掃できる。
【０００４】
しかしながら、布面が平坦なため塵や埃（以下、塵等という）の付着量が少ないという欠点があり、これに対処すべく種々の提案がなされている。
【０００５】
例えば、特開平１０−９９２５１号公報（特許文献２）には、手袋型のモップ基台に切り込みを入れた拭布を設けたハンドモップが記載されている。
【０００６】
また、特開２０００―１６６８４１号公報（特許文献３）には、手を挿入できる袋状物本体を織編物で構成し、その袋状物の周縁に短冊状の小片を設けた袋状清掃具が記載されており、同様に、特開平１０−３３４４３号公報（特許文献４）には不織布を筒状に形成し、その周面に多数のフラップを備えた清掃布が記載されている。
【０００７】
この出願の発明に関連する先行技術文献としては次のものがある。
【０００８】
【特許文献１】
特開平１０−１３７１６８号公報（第２頁）
【０００９】
【特許文献２】
特開平１０−９９２５１号公報（第２頁）
【００１０】
【特許文献３】
特開２０００―１６６８４１号公報（第２頁）
【００１１】
【特許文献４】
特開平１０−３３４４３号公報（第２頁）
【００１２】
【発明が解決しようとする課題】
しかしながら、これらの清掃具では、切り込みや短冊状の小片、フラップ等により被清掃面との接触面積は拡大するものの、布帛の小片が自由に揺動して被清掃面への接触圧の伝播ができず、そのため、塵等を付着する能力が低かった。
【００１３】
本発明は、このような従来の技術の問題点を解消し、使い捨てタイプであり且つ、塵等を付着する能力及び保持する能力が高い清掃具を提供することを目的としている。
【００１４】
【課題を解決するための手段】
上記課題を解決するため、本発明に係る清掃具は、手又は柄付き保持具に装着されて用いられる清掃具であって、シャーリングを有する布帛で構成された払拭部と、該払拭部を手又は保持具に当てがった状態に保持するための装着部とを備えたことを特徴としている。
【００１５】
上記清掃具によれば、シャーリングを設けることにより、被清掃面への接触圧の伝播を損ねることなく被清掃面の面積を拡大することができる。また、シャーリングの多数のひだにより、払拭した塵等を安定的に保持し、払拭部表面からの落下を抑えることができる。このように本発明によれば、シャーリングを備えていない従来の清掃具に比べて、塵等の付着力及び保持力を高めることができる。
【００１６】
前記払拭部及び前記装着部は、手又は保持具を挿入し得る袋状又は筒状をなすように相互に重ねられた布帛の一方及び他方により各々形成され、前記シャーリングは重ねられた布帛の接合手段によって固定されていることが望ましい。
【００１７】
上記清掃具によれば、相互に重ねられた布帛で袋状又は筒状を形成するように重ねられた布帛を接合すると共に、その接合手段でシャーリングを固定することができ、構造が簡単となり清掃具の製造コスト低減に有利である。なお、接合手段としては熱融着や接着、縫合などが挙げられる。
【００１８】
また、一方の面を払拭部、他方の面を装着部として或る程度使用した後、一方の面を装着部、他方の面を払拭部として逆に使用することができるので、清掃具を構成する布帛を有効に利用することができる。
【００１９】
また、前記払拭部及び装着部は、相互に重ねられて、手袋状とされていることが望ましい。
【００２０】
上記清掃具によれば、手に装着して使用し、手の動きや指の曲げを活用して清掃を行うことができるので、曲面や細部の清掃を容易にし、且つ清掃作業の能率を向上させることができる。
【００２１】
本発明に係る清掃具の製造方法は、手又は柄付き保持具に装着されて用いられる清掃具の製造方法であって、第１の布帛と第２の布帛とを重ね合わせ、縫合糸により、前記第１の布帛の周縁部と前記第２の布帛の周縁部とを縫合する縫合工程と、前記第１の布帛及び前記第２の布帛を前記縫合糸により引き縮めて、前記第１の布帛の周縁部及び前記第２の布帛の周縁部にシャーリングを形成するシャーリング形成工程と、前記第１の布帛の周縁部と前記第２の布帛の周縁部とをプレス融着し、前記第１の布帛と前記第２の布帛とを袋状又は筒状に形成すると共に前記シャーリングを固定するプレス工程とを含むことを特徴としている。
【００２２】
上記清掃具の製造方法によれば、布帛の縫合と縫合糸による引き縮めによるシャーリングの形成及びプレス融着によるシャーリングの固定という簡単な工程で清掃具を製造することができ、製造が容易であり製造コスト低減に有利である。。しかも、従来の設備に僅かな変更を加えるだけで本発明に係る清掃具を製造することもできる。
【００２３】
【発明の実施の形態】
図１は、本発明の実施形態に係る清掃具を示した図である。
【００２４】
図示のように、本発明の実施形態に係る清掃具１０は、シャーリング１３を有する不織布１１で構成された払拭部と、払拭部を手又は保持具に当てがった状態に保持するための不織布１１’で構成された装着部とを備えている。２枚の不織布１１，１１’は相互に重ねられ、その周縁部の接合部位１４で縫合糸１２により縫合されて、手袋状に形成されている。
【００２５】
この清掃具１０は、手に装着し、払拭部で家具等に付着した塵等を拭き取るのに用いることができる。清掃具１０は、周縁部に設けられたシャーリング１３により、払拭部の表面積が増し、塵等の付着量が大きいだけでなく、塵等を保持する能力も高い。
【００２６】
図２は、図１に示した清掃具１０におけるシャーリング１３の断面図である。
【００２７】
図示のように、シャーリング１３は凸部１３ａと凹部１３ｂとからなるひだを有しているので、塵等ａを払拭した際、塵等ａが凹部１３ｂに入りやすく、入った塵等ａを安定的に保持する。
【００２８】
本実施形態では、同じ形状の２枚の不織布１１，１１’の両方を縫合して清掃具を形成しているので、一方の布帛面に塵等ａが多量に付着しても、他方の布帛面を用いることができる。すなわち、払拭部となる不織布１１又は不織布１１’のいずれの表面でも家具等に付着した塵等を拭き取ることができる。
【００２９】
次に、図１に示した清掃具１０の製造方法について説明する。
【００３０】
図３（ａ）〜（ｄ）は、図１に示した清掃具１０の製造方法の概略を示す図である。
【００３１】
まず、図３（ａ）に示すように、第１の不織布１１及びそれとほぼ同形状の第２の不織布１１’を用意し、図３（ｂ）に示すように、縫合工程として、第１の不織布１１と第２の不織布１１’とを重ね合わせ、縫合糸１２により、第１の不織布１１の周縁部と第２の不織布１１’の周縁部とを縫合する。
【００３２】
次にシャーリング形成工程として、図３（ｃ）に示すように、第１の不織布１１及び第２の不織布１１’に対し縫合糸１２を引き締めて、第１の不織布１１の周縁部及び第２の不織布１１’の周縁部にシャーリング１３を形成する。
【００３３】
図４（ａ）〜（ｃ）は、図３（ｃ）に示したシャーリング形成工程の一例を詳細に示す図である。本実施の形態ではシャーリング形成工程に、図４（ａ）に示すような治具４４を用いている。治具４４は、ほぼ同形状の上板４１及び下板４３と、上板４１及び下板４３の周縁部を突出させつつ、上板４１及び下板４３を結合する結合部４２とで構成されている。
【００３４】
まず、図４（ｂ）に示すように、縫合糸１２で縫合され袋状となった第１の不織布１１及び第２の不織布１１’の中に治具４４を挿入する。次に、第１の不織布１１及び第２の不織布１１’に対し縫合糸１２を引き締め、突出した上板４１の周縁部と下板４３の周縁部との間の凹部で、第１の不織布１１の周縁部及び第２の不織布１１’の周縁部を引き縮めてシャーリング１３を形成する。この後、引き締めた縫合糸１２の端部を結び目の形成、或いは不織布への接合等により固定し、治具４４を引き抜く。
【００３５】
次いでプレス工程として、第１の不織布１１の周縁部と第２の不織布１１’の周縁部とをプレス融着し、図３（ｄ）に示すように、第１の不織布１１と第２の不織布１１’とを袋状に形成すると共にシャーリング１３を固定する。以上のようにして、図１に示した清掃具１０を製造することができる。
【００３６】
本実施形態では、第１の不織布１１及びこれとほぼ同形状の第２の不織布１１’を用いたが、第２の不織布を第１の不織布より小さくしておき、第１の不織布の使用後に反対の側を使用するときに、第２の不織布と第１の不織布の裏面とを用いるようにすることもできる。
【００３７】
また、本実施形態では、第１の不織布１１及び第２の不織布１１’として別々の不織布を用いたが、一続きの不織布を折り重ねて、第１の不織布に相当する部位、及び第２の不織布に相当する部位をそれぞれ構成することもできる。
【００３８】
また、上記実施形態では２枚の不織布で袋状を構成する場合を示したが、織布、編布等の布帛を用いることもでき、また、１枚が布帛で１枚が布帛でない透明又は不透明のフィルム等であってもよい。
【００３９】
また、上記実施形態ではミトン型の手袋状の清掃具を示したが、指の挿入箇所をより多く分割した手袋状（例えば５分割）や、手袋状でない角形、丸形の袋状又は筒状のものとすることもできる。さらには、手だけでなく柄付き保持具に装着されて用いられるものであってもよい。
【００４０】
また、シャーリング１３を形成及び固定する方法としては、上記以外にも種々の方法を適用することができる。例えば、上記のように、縫合糸１２による縫合後に第１の不織布１１及び第２の不織布１１’を融着せず、縫合糸１２の両端を固定するだけでシャーリング１３を固定することもできる。或いは、熱収縮性の縫合糸を用いて不織布１１、１１’を縫合し、その両端を固定した後、縫合部分を加熱して縫合糸を収縮させることにより、シャーリングを形成することもできる。
【００４１】
或いは、縫合糸１２を用いず、重ねられた第１の不織布１１及び第２の不織布１１’の融着すべき箇所に沿って多数の保持具を並べて押し当て、各保持具の相互間距離が縮まる方向にスライドさせて第１の不織布１１及び第２の不織布１１’にシャーリング１３を形成した後、その状態のまま保持具を介して加熱を行い、接合部位１４で第１の不織布１１及び第２の不織布１１’を融着させてもよい。保持具としては先端部がニードル状、くさび状等の棒状又は板状の部材を間隔を可変にして相対向して、或いは平板面に対向して多数並べたものを用いることができる。融着のための加熱は、不織布を保持具で挟んだ状態で、ニードルやくさびの基端側の発熱部からの熱伝導により行うとよい。
【００４２】
また、重ねられた第１の不織布１１及び第２の不織布１１’の融着すべき箇所から距離をおいて多数の保持具を並べて押し当て、各保持具の相互間距離が縮まる方向に保持具をスライドさせてシャーリング１３を形成した後、融着すべき箇所に沿って押さえ具を押し当て、この押さえ具を介して加熱を行い、第１の不織布１１及び第２の不織布１１’を接合部位１４で融着させてもよい。この場合、保持具の温度を不織布の融点より十分に低い温度に保つことができ、保持具のスライドによるシャーリング１３の形成を安定して行うことができる。
【００４３】
図５は、本発明の他の実施形態に係る清掃具５０を示した図である。
【００４４】
図示のように、本発明の他の実施形態に係る清掃具５０は、ほぼ平行な３本の縫合部を形成する縫合糸５２によって不織布５１にシャーリング５３を形成した払拭部と、払拭部を手又は保持具に当てがった状態に保持するためのバンド５１’で構成された装着部とを備えている。不織布５１は掌よりやや大きく、全体にシャーリング５３を有している。不織布５１’は、帯状に形成され、不織布５１上に縫合糸５２によって縫合されている。シャーリング５３は縫合糸５２によって固定されている。
【００４５】
この清掃具５０は、手又は柄付き保持具に装着され、払拭部で家具やフローリング等に付着した塵等を拭き取るのに用いることができる。本実施の形態においても上記のように、シャーリング５３により、塵等の高い付着力及び高く安定した保持力を得ることができる。特に、本実施の形態ではシャーリング５３が不織布５１の中心部にも形成されているので、ひだのある領域が広く且つシャーリング部分での接触圧の伝播がより直接的となり、塵等の付着力及び保持力はより高くなる。
【００４６】
本実施形態では、不織布５１’として帯状のものを用いたが、不織布５１とほぼ同形状のものを用いて袋状又は筒状とすることもできる。また、縫合糸５２のみでシャーリング５３を固定しているが、上記と同様に縫合部を融着してシャーリングを固定してもよい。
【００４７】
図６は、本発明のさらに他の実施形態に係る清掃具６０を示した図である。
【００４８】
図示のように、本発明の他の実施形態に係る清掃具６０は、シャーリング６３を有する略扇形の不織布６１で構成された払拭部と、不織布６１の背面に位置し、払拭部を手又は保持具に当てがった状態に保持するための不織布６１’で構成された装着部とを備えている。不織布６１’は、図では不織布６１の背面に隠れているが、不織布６１とほぼ同形状となっている。
【００４９】
清掃具６０は、以下のようにして製造することができる。まず、矩形状の不織布６１を該矩形の一辺に平行な方向に引き縮めて複数のシャーリング６３を有する帯状とし、該帯状の一辺を２つ折りに折り返して略扇形とする。この状態のまま、折り返した辺が重なり合う第１接合部位６４ａと、折り返した帯状の両側を横切る第２接合部位６４ｂとを融着する。第１接合部位６４ａは折り返した帯状の一辺を固定するように作用し、第２接合部位６４ｂはシャーリング６３を固定するように作用する。同様の処理を不織布６１’についても行い、略扇形になった不織布６１と不織布６１’とを重ね合わせ、手等を挿入するための開口６５を残して、略扇形の外周となる第３接合部位６４ｃを融着する。
【００５０】
この清掃具６０は、手又は柄付き保持具に装着され、払拭部で家具やフローリング等に付着した塵等を拭き取るのに用いることができる。本実施の形態においても、シャーリング６３により、塵等の高い付着力及び高く安定した保持力を得ることができる。シャーリング６３が不織布６１の中心部にも形成されているので、ひだのある領域が広く且つシャーリング部分での接触圧の伝播がより直接的となり、塵等の付着力及び保持力はより高くなるのは先の実施の形態と同様である。本実施の形態では、手の挿入方向を横切る方向にもシャーリング６３が形成されており、手を前後左右いずれの方向に移動させてもシャーリング６３のひだが払拭方向と交わるので、塵等がシャーリング６３に捉えられ易くなっている。
【００５１】
なお、本実施の形態では矩形状の不織布を用いた略扇形の清掃具の場合を示したが、扇形や半円、半径方向に切り込みを入れた円などの形状の不織布を引き縮めた扇形の清掃具や、半円と矩形とを組み合わせた形状の不織布を引き縮めた略扇形の清掃具であっても、１つの払拭面内に様々な向きのシャーリングを形成することができるので、上記のような効果を得ることができる。
【００５２】
図７は、本発明のさらに他の実施形態に係る清掃具７０を示した図である。
【００５３】
図示のように、本実施形態に係る清掃具７０は、シャーリング７３を有する矩形の不織布７１で構成された払拭部を備えており、シャーリング７３は接合部位７４で融着されている。
【００５４】
清掃具７０は、以下に述べるように、柄付き保持具に装着されて用いられるが、このとき不織布７１の角部７５が払拭部を保持具に当てがった状態に保持するための装着部として作用する。
【００５５】
図８（ａ）及び（ｂ）は、図７に示した清掃具７０を柄付き保持具８０に装着する状態を示す図である。図示のように本実施の形態では、保持板８１と、柄８２と、柄８２を保持板８１に回動自在に連結する連結部８３と、係止部８４とを備えた柄付き保持具８０を用いている。
【００５６】
本発明の他の実施形態に係る清掃具７０は、保持板８１の下面に配置され、清掃具７０の４つの角部７５が柄付き保持具８０の４つの係止部８４に挟まれることによって柄付き保持具８０に装着され、主にフローリング等に付着した塵等を拭き取るのに用いることができる。本実施の形態においても、シャーリング７３により、塵等の高い付着力及び高く安定した保持力を得ることができる。また、先の実施の形態と同様に、ひだのある領域が広く且つシャーリング部分での接触圧の伝播がより直接的となり、塵等の付着力及び保持力はより高くなる。
【００５７】
以上、本発明の好ましい実施形態について説明したが、シャーリングを有する払拭部、及び該払拭部を手又は保持具に当てがった状態に保持するための装着部は、上述したものの他にも様々な形態とすることができる。
【００５８】
【発明の効果】
本発明に係る清掃具は、シャーリングを有する布帛で構成された払拭部と、該払拭部を手又は保持具に当てがった状態に保持するための装着部とを備えているので、本発明によれば、手又は柄付き保持具に装着されて用いられる使い捨てタイプであり且つ、塵等を付着する能力及び保持する能力が高い清掃具が実現される。
【００５９】
また、本発明に係る清掃具の製造方法によれば、布帛の縫合と縫合糸による引き縮めによるシャーリングの形成及びプレス融着によるシャーリングの固定という簡単な工程で清掃具を製造することができ、製造が容易であり製造コスト低減に有利である。
【図面の簡単な説明】
【図１】本発明の一実施形態に係る清掃具を示す正面図である。
【図２】図１に示した清掃具におけるシャーリングの断面図である。
【図３】図１に示した清掃具の製造方法の概略を示す図である。
【図４】図３に示したシャーリング形成工程の一例を詳細に示す図である。
【図５】本発明の他の実施形態に係る清掃具を示した図である。
【図６】本発明のさらに他の実施形態に係る清掃具を示した図である。
【図７】本発明のさらに他の実施形態に係る清掃具を示した図である。
【図８】図７に示した清掃具を柄付き保持具に装着する状態を示した図である。
【符号の説明】
１０　清掃具
１１、１１’　不織布
１２　縫合糸
１３　シャーリング
１４　接合部位
【図１】
2004113284.tif 000003
【図２】
2004113284.tif 000004
【図３】
2004113284.tif 000005
【図４】
2004113284.tif 000006
【図５】
2004113284.tif 000007
【図６】
2004113284.tif 000008
【図７】
2004113284.tif 000009
【図８】
2004113284.tif 000010